【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
組織部位における創傷を治療するためのシステムにおいて、当該システムが：
減圧を供給する圧力源と；
前記圧力源と流体連通し、減圧を前記創傷に提供するマニホールドと；
前記組織部位に接着して前記創傷および前記マニホールドを覆うドレープであって、前記ドレープと前記組織部位の間には通路があるドレープと；
前記ドレープと前記組織部位の間に配置されるシールであって、流体に反応し、前記マニホールドが減圧を前記創傷に提供したときに前記ドレープの外側から前記通路を通って漏れる空気に反応して前記通路を実質的に塞ぐ密封材を形成するよう適応したシールとを具えることを特徴とするシステム。
【請求項２】
請求項１のシステムにおいて、前記シールがイソシアネート材料を含有し、前記流体は前記ドレープの外側から漏れて前記シールと接触する空気に含まれる水蒸気であることを特徴とするシステム。
【請求項３】
請求項１のシステムにおいて、前記シールが感水ポリマであり、前記流体は前記ドレープの外側から漏れて前記シールと接触する空気に含まれる水蒸気であることを特徴とするシステム。
【請求項４】
請求項３のシステムにおいて、前記感水ポリマが、ポリアクリラート、ポリビニルピロリドン、ポリビニルアルコール、アルギナート、またはカルボキシメチルセルロースであることを特徴とするシステム。
【請求項５】
請求項１のシステムにおいて、前記シールが感水ポリマであり、前記流体は前記シールと接触する前記創傷からの滲出液であることを特徴とするシステム。
【請求項６】
請求項１のシステムにおいて、前記シールが感水ポリマであり、前記流体は前記シールに適用される水であることを特徴とするシステム。
【請求項７】
請求項１のシステムにおいて、前記シールが気体を発生させて前記密封材を形成する感水材料であり、前記流体は前記ドレープの外側から漏れて前記シールと接触する空気に含まれる水蒸気であることを特徴とするシステム。
【請求項８】
請求項７のシステムにおいて、前記感水材料が、金属水素化物または金属炭化物であることを特徴とするシステム。
【請求項９】
請求項１のシステムがさらに、前記流体を前記組織部位に提供する流体供給部を具えていることを特徴とするシステム。
【請求項１０】
請求項９のシステムにおいて、前記シールが、ポリウレタン、アクリル樹脂、またはアセテートであり、前記流体は溶媒であることを特徴とするシステム。
【請求項１１】
請求項１０のシステムにおいて、前記溶媒が、アルコール、グリコール、ポリエチレングリコール、またはグリセリンであることを特徴とするシステム。
【請求項１２】
請求項１のシステムにおいて、前記流体が、前記組織部位への減圧の適用に反応して前記マニホールドへと吸い込まれる気体であって、前記気体は、前記シールに反応して前記シールを膨脹させて前記密封材を形成することを特徴とするシステム。
【請求項１３】
請求項１のシステムにおいて、前記流体が前記組織部位に予め適用されることを特徴とするシステム。
【請求項１４】
請求項１のシステムにおいて、前記シールが、減圧に反応するポリマ球を含み、前記圧力源によって提供された圧力差に反応して膨脹し前記密封材を形成する材料であることを特徴とするシステム。
【請求項１５】
請求項１のシステムにおいて、前記シールが、第１の面と、前記組織部位に面する第２の面とを有し、さらに：
前記シールの前記第１の面および前記第２の面の少なくとも一方を覆う剥離ライナを具えており、当該剥離ライナは、前記シールおよび前記ドレープを前記組織部位に適用する前に前記シールが前記密封材を形成するのを防ぐように適応していることを特徴とするシステム。
【請求項１６】
請求項１のシステムにおいて、前記シールが膨脹して、前記通路を塞ぐ前記密封材を形成することを特徴とするシステム。
【請求項１７】
請求項１のシステムにおいて、前記密封材が前記ドレープのひだによって形成された前記通路を少なくとも部分的に塞ぎ、前記通路を実質的に密封することを特徴とするシステム。
【請求項１８】
請求項１のシステムにおいて、前記シールが、前記組織部位における前記創傷を少なくとも部分的に取り囲む環形を形成することを特徴とするシステム。
【請求項１９】
請求項１のシステムにおいて、前記ドレープが第１の面と前記組織部位に面する第２の面とを有しており、前記シールは前記ドレープの前記第２の面を実質的に覆うことを特徴とするシステム。
【請求項２０】
請求項１のシステムにおいて、前記密封材が接着剤であり、前記ドレープを前記組織部位に接着させるよう機能することを特徴とするシステム。
【請求項２１】
組織部位における創傷を治療するための装置において、当該装置が：
減圧を前記創傷に提供するよう適応したマニホールドと；
前記組織部位に接着する接着面を有し、前記創傷および前記マニホールドを覆うドレープであって、前記ドレープと前記組織部位の間には通路があるドレープと；
前記ドレープの接着面に近接するシールであって、前記組織部位に適用されるときに前記ドレープと前記組織部位の間に配置され、前記マニホールドが減圧を前記創傷に適用したときに前記ドレープと前記組織部位の間にある前記通路を実質的に塞ぐ密封材を形成するように変形できるシールとを具えており；
前記マニホールドが減圧を前記創傷に提供したときに、前記ドレープの外側からの空気の漏れが減少することを特徴とする装置。
【請求項２２】
請求項２１の装置において、
前記シールが、水蒸気に反応するイソシアネート材料を含有し、空気が前記ドレープの外側から漏れて前記シールと接触したときに空気に含まれる水蒸気に反応して前記密封材を形成するように変形することを特徴とする装置。
【請求項２３】
請求項２１の装置において、前記シールが感水ポリマであり、当該感水ポリマは、空気が前記ドレープの外側から漏れて前記シールに接触したときに、空気に含まれる水蒸気に反応して前記密封材を形成するように変形することを特徴とする装置。
【請求項２４】
請求項２３の装置において、前記感水ポリマが、ポリアクリラート、ポリビニルピロリドン、ポリビニルアルコール、アルギナート、またはカルボキシメチルセルロースであることを特徴とする装置。
【請求項２５】
請求項２１の装置において、前記シールが感水ポリマであり、当該感水ポリマは、前記シールと接触する前記創傷からの滲出液に反応して前記密封材を形成するように変形することを特徴とする装置。
【請求項２６】
請求項２１の装置において、前記シールが感水ポリマであり、当該感水ポリマは、前記シールに適用された水蒸気に反応して前記密封材を形成するように変形することを特徴とする装置。
【請求項２７】
請求項２１の装置において、前記シールが感水材料であり、当該感水材料は、空気が前記ドレープの外側から漏れて前記シールに接触したときに、空気に含まれる水蒸気に反応して前記密封材を形成するように気体を発生させることを特徴とする装置。
【請求項２８】
請求項２７の装置において、前記感水材料が、金属水素化物または金属炭化物であることを特徴とする装置。
【請求項２９】
請求項２１の装置において、前記マニホールドがさらに流体を前記組織部位に提供するよう適応しており、前記シールは、前記シールと接触する前記流体に反応して前記密封材を形成するように変形することを特徴とする装置。
【請求項３０】
請求項２９の装置において、前記シールが、ポリウレタン、アクリル樹脂、またはアセテートであり、前記流体は溶媒であることを特徴とする装置。
【請求項３１】
請求項３０の装置において、前記溶媒が、アルコール、グリコール、ポリエチレングリコール、またはグリセリンであることを特徴とする装置。
【請求項３２】
請求項２９の装置において、前記流体が、前記組織部位への減圧の適用に反応して前記マニホールドへと吸い込まれる気体であって、前記気体は、前記シールに反応して前記シールを膨脹させて前記密封材を形成することを特徴とする装置。
【請求項３３】
請求項２９の装置において、前記流体が前記組織部位に予め適用されることを特徴とする装置。
【請求項３４】
請求項２１の装置において、前記シールが、減圧に反応するポリマ球を含み、前記圧力源によって提供された圧力差に反応して膨脹し前記密封材を形成する材料であることを特徴とする装置。
【請求項３５】
請求項２１の装置において、前記シールが、第１の面と前記組織部位と接触する第２の面とを有し、さらに：
前記シールの前記第１の面および前記第２の面の少なくとも一方を覆う剥離ライナを具えており、当該剥離ライナは、前記シールおよび前記ドレープを前記組織部位に適用する前に前記シールが前記密封材に変形するのを防ぐように適応していることを特徴とする装置。
【請求項３６】
請求項２１の装置において、前記シールが膨張して、前記通路を塞ぐ前記密封材を形成することを特徴とする装置。
【請求項３７】
請求項２１の装置において、前記密封材が前記ドレープのひだによって形成された前記通路を少なくとも部分的に塞ぎ、前記通路を実質的に密封することを特徴とする装置。
【請求項３８】
請求項２１の装置において、前記シールが、前記組織部位における前記創傷を少なくとも部分的に取り囲む環形を形成することを特徴とする装置。
【請求項３９】
請求項２１の装置において、前記ドレープが第１の面と前記組織部位と接触する第２の面とを有しており、前記シールは前記ドレープの前記第２の面を実質的に覆うことを特徴とする装置。
【請求項４０】
請求項２１の装置において、前記密封材が接着剤であり、前記ドレープを前記組織部位に接着させるよう機能することを特徴とする装置。